(57)【要約】【課題】画像形成装置の設定画面に関してユーザの操作性を向上させることが可能な技術を提供する。【解決手段】設定画面ＧＡは、各機能を設定するための複数の機能ボタンに対応する複数のアイコンＣＮを水平方向に配列して表示するアイコン表示領域ＲＣと、複数の機能ボタンのうちの１または２以上の機能ボタンを表示する機能ボタン表示領域ＲＢとを有する。設定画面ＧＡは、複数のグループのうちの一のグループに属する機能ボタンを機能ボタン表示領域ＲＢに表示すべき旨のグループ表示指示入力を受け付けるグループ表示指示領域ＲＦをも有する。範囲指定枠ＦＲ内の一部のアイコンＣＮ１５，ＣＮ２１〜ＣＮ２４，ＣＮ３１〜ＣＮ３４に対応する一部の機能ボタンが機能ボタン表示領域ＲＢに表示されている状態において、グループ指定ボタンＧＴ２が押下されると、グループＧＰ２に属する機能ボタンＢＴ２１〜ＢＴ２４のみが機能ボタン表示領域ＲＢに表示される。【選択図】図２
2014059811.tif 000002
【特許請求の範囲】
【請求項１】
画像形成装置であって、
各機能を設定するための複数の機能ボタンに対応する複数のアイコンを所定方向に配列して表示するアイコン表示領域と前記複数の機能ボタンのうちの１または２以上の機能ボタンを表示する機能ボタン表示領域とを有する設定画面を表示する表示手段と、
前記アイコン表示領域において前記所定方向に配列された前記複数のアイコンの中から所定幅の指定範囲内の一部のアイコンを指定する範囲指定入力を受け付ける入力制御手段と、
前記範囲指定入力に応答して、前記一部のアイコンに対応する一部の機能ボタンを前記機能ボタン表示領域に表示する表示制御手段と、
を備え、
前記複数の機能ボタンは、機能属性に応じて複数のグループに分類され、
前記設定画面は、前記複数のグループのうちの一のグループに属する機能ボタンを前記機能ボタン表示領域に表示すべき旨のグループ表示指示入力を受け付けるグループ表示指示領域をも有し、
前記入力制御手段は、前記グループ表示指示領域に対する前記グループ表示指示入力をも受け付け、
前記表示制御手段は、前記グループ表示指示入力に応答して、前記グループ表示指示入力で指定された特定のグループに属する機能ボタンを前記機能ボタン表示領域に表示することを特徴とする画像形成装置。
【請求項２】
請求項１に記載の画像形成装置において、
前記グループ表示指示領域には、前記複数のグループのうちの各グループを前記特定のグループとしてそれぞれ指定するための複数のグループ指定ボタンが配置されることを特徴とする画像形成装置。
【請求項３】
請求項２に記載の画像形成装置において、
前記複数のグループ指定ボタンは、前記アイコン表示領域と前記機能ボタン表示領域との双方に対して独立して設けられた前記グループ表示指示領域内に配置されることを特徴とする画像形成装置。
【請求項４】
請求項２に記載の画像形成装置において、
前記複数のグループ指定ボタンは、それぞれ、前記アイコン表示領域内に配列された前記複数のアイコンのうち各グループ指定ボタンの機能に対応するアイコン群の近傍に配置されることを特徴とする画像形成装置。
【請求項５】
請求項２ないし請求項４のいずれかに記載の画像形成装置において、
前記表示制御手段は、前記複数のグループ指定ボタンのうちの特定のグループ指定ボタンの押下操作に応答して前記特定のグループに属する機能ボタンが前記機能ボタン表示領域に表示されている場合において、前記複数のグループ指定ボタンのうち、ユーザによって押下された前記特定のグループ指定ボタンと当該特定のグループ指定ボタン以外のグループ指定ボタンとを互いに異なる態様で表示することを特徴とする画像形成装置。
【請求項６】
請求項１に記載の画像形成装置において、
前記グループ表示指示領域は、前記複数のグループのうちの各グループを前記特定のグループとしてそれぞれ指定するための複数のグループ指定領域に区分されることを特徴とする画像形成装置。
【請求項７】
請求項１ないし請求項６のいずれかに記載の画像形成装置において、
前記表示制御手段は、前記複数のグループのうちの前記特定のグループに対する前記グループ表示指示入力が付与されると、前記複数の機能ボタンのうち前記特定のグループに属する機能ボタンのみを前記機能ボタン表示領域に表示することを特徴とする画像形成装置。
【請求項８】
請求項１ないし請求項６のいずれかに記載の画像形成装置において、
前記表示制御手段は、前記複数のグループのうちの前記特定のグループに対する前記グループ表示指示入力が付与されると、前記特定のグループに属する機能ボタンと前記特定のグループに属しない機能ボタンとを互いに異なる態様で前記機能ボタン表示領域に表示することを特徴とする画像形成装置。
【請求項９】
請求項８に記載の画像形成装置において、
前記表示制御手段は、前記複数のグループのうちの前記特定のグループに対する前記グループ表示指示入力が付与されると、前記アイコン表示領域における前記複数のアイコンのうち、前記特定のグループに属するアイコンと前記特定のグループに属しないアイコンとを互いに異なる態様で表示することを特徴とする画像形成装置。
【請求項１０】
請求項１ないし請求項６のいずれかに記載の画像形成装置において、
前記表示制御手段は、前記複数のグループのうちの特定のグループに対する前記グループ表示指示入力が付与されると、前記特定のグループに属する機能ボタンと前記特定のグループに属しない機能ボタンとを、前記所定方向に垂直な方向において互いにずらした状態で前記機能ボタン表示領域に表示することを特徴とする画像形成装置。
【請求項１１】
請求項１０に記載の画像形成装置において、
前記表示制御手段は、前記複数のグループのうちの前記特定のグループに対する前記グループ表示指示入力が付与されると、前記アイコン表示領域における前記複数のアイコンのうち、前記特定のグループに属するアイコンと前記特定のグループに属しないアイコンとを前記所定方向に垂直な方向において互いにずらした状態で表示することを特徴とする画像形成装置。
【請求項１２】
請求項１ないし請求項１１のいずれかに記載の画像形成装置において、
前記表示制御手段は、前記一部のアイコンに対応する一部の機能ボタンが前記機能ボタン表示領域に表示される第１の表示状態から、前記グループ表示指示入力で指定された前記特定のグループに属する機能ボタンが前記機能ボタン表示領域に表示される第２の表示状態への遷移後において、前記アイコン表示領域内のアイコン列またはスライダに対するユーザ操作が受け付けられると、前記第２の表示状態から前記第１の表示状態への遷移動作を実行することを特徴とする画像形成装置。
【請求項１３】
請求項１ないし請求項１１のいずれかに記載の画像形成装置において、
前記表示制御手段は、前記一部のアイコンに対応する一部の機能ボタンが前記機能ボタン表示領域に表示される第１の表示状態から、前記グループ表示指示入力で指定された前記特定のグループに属する機能ボタンが前記機能ボタン表示領域に表示される第２の表示状態への遷移後において、前記特定のグループに関する前記グループ表示指示入力が前記グループ表示指示領域を用いて再び受け付けられると、前記第２の表示状態から前記第１の表示状態への遷移動作を実行することを特徴とする画像形成装置。
【請求項１４】
請求項１ないし請求項１１のいずれかに記載の画像形成装置において、
前記表示制御手段は、前記一部のアイコンに対応する一部の機能ボタンが前記機能ボタン表示領域に表示される第１の表示状態から、前記グループ表示指示入力で指定された前記特定のグループに属する機能ボタンが前記機能ボタン表示領域に表示される第２の表示状態への遷移後において、前記特定のグループに属する特定の機能ボタンの押下に応答して行われる機能設定操作が完了すると、前記第２の表示状態から前記第１の表示状態への遷移動作を実行することを特徴とする画像形成装置。
【請求項１５】
請求項１ないし請求項１１のいずれかに記載の画像形成装置において、
前記表示制御手段は、前記一部のアイコンに対応する一部の機能ボタンが前記機能ボタン表示領域に表示される第１の表示状態から、前記グループ表示指示入力で指定された前記特定のグループに属する機能ボタンが前記機能ボタン表示領域に表示される第２の表示状態への遷移後において、無操作期間が所定期間継続すると、前記第２の表示状態から前記第１の表示状態への遷移動作を実行することを特徴とする画像形成装置。
【請求項１６】
コンピュータに、
ａ）各機能を設定するための複数の機能ボタンに対応する複数のアイコンを所定方向に配列して表示するアイコン表示領域と前記複数の機能ボタンのうちの１または２以上の機能ボタンを表示する機能ボタン表示領域と前記複数の機能ボタンの分類用の複数のグループのうちの一のグループに属する機能ボタンを前記機能ボタン表示領域に表示すべき旨のグループ表示指示入力を受け付けるグループ表示指示領域とを有する設定画面を表示するステップと、
ｂ）前記アイコン表示領域にて前記所定方向に配列された前記複数のアイコンのうち所定幅の指定範囲内の一部のアイコンに対応する一部の機能ボタンが前記機能ボタン表示領域に表示される第１の表示状態において、前記グループ表示指示領域に対する前記グループ表示指示入力を受け付けるステップと、
ｃ）前記グループ表示指示入力に応答して、前記グループ表示指示入力で指定された特定のグループに属する機能ボタンが前記機能ボタン表示領域に表示される第２の表示状態への遷移動作を実行するステップと、
を実行させるためのプログラム。
【発明の詳細な説明】
【技術分野】
【０００１】
本発明は、画像形成装置およびそれに関連する技術に関する。
【背景技術】
【０００２】
画像形成装置においては、搭載機能が年々増加しており、各搭載機能を設定するためのボタン（機能ボタン）の数も増加している。そのため、全機能に対応する全ての機能ボタンを画像形成装置の操作パネル部（表示部）に表示することは困難である。
【０００３】
これに対して、多数の機能ボタンを複数の機能グループに分類し、各機能グループに所属する機能ボタンをそれぞれ有する複数のタブ画面（機能グループごとのタブ画面）を切り換えて表示する技術が存在する。しかしながら、このようなタブ画面の切換技術では、異なる機能グループに跨る複数の機能ボタンは異なるタブ画面に配置されているため、多数の機能ボタンを全体的に俯瞰することは困難である。
【０００４】
このような問題に対処する技術として、例えば特許文献１には、所定方向に配列された複数の機能ボタンのうちユーザによって指定された一部の機能ボタンを表示部の機能ボタン表示領域に表示する技術が記載されている。機能ボタン表示領域に表示される一部の機能ボタンは、ユーザによるスクロール操作に応じて変更される。
【０００５】
より詳細には、特許文献１の技術では、画像形成装置の表示部には、アイコン表示領域と機能ボタン表示領域とを有する設定画面が表示される。
【０００６】
アイコン表示領域には、各機能を設定するための複数の機能ボタンに対応する複数のアイコンが水平方向に配列された状態で表示される。なお、当該複数のアイコンは、複数の機能グループに分類された状態（詳細には、機能グループごとに纏められた状態）で表示される。また、アイコン表示領域には、当該アイコン表示領域内の複数のアイコンの中から一部のアイコンを選択するためのスライダが設けられている。このスライダを用いたユーザ操作により、アイコン表示領域に表示された複数のアイコンの中から一部のアイコンが指定される。詳細には、当該スライダは、当該スライダの移動に付随して移動する所定幅の枠体（範囲指定枠）を有しており、スライダ移動後の当該範囲指定枠内に存在するアイコンが、当該一部のアイコンとして指定される。
【０００７】
そして、他方の機能ボタン表示領域には、複数の機能ボタンのうち、ユーザ操作で指定された一部のアイコンに対応する一部の機能ボタンが表示される。
【先行技術文献】
【特許文献】
【０００８】
【特許文献１】特開２０１１−１９３４０５号公報
【発明の概要】
【発明が解決しようとする課題】
【０００９】
上記特許文献１の技術によれば、ユーザは、多数の機能ボタンを全体的に俯瞰しつつ所望の機能ボタンを探すことが容易である。
【００１０】
しかしながら、その一方で、ユーザが設定したい機能（あるいは機能グループ）を既に決めている際においても、ユーザは、所望の機能（あるいは所望の機能グループ）の近くにスライダを一旦移動させる操作を求められる。設定対象機能を予め決定しているユーザには、スライダの移動を伴う表示対象範囲指定操作は煩わしく感じられることがある。そのため、さらに簡易な操作で機能に関する設定を行えることが好ましい。
【００１１】
そこで、この発明は、画像形成装置の設定画面に関してユーザの操作性を向上させることが可能な技術を提供することを課題とする。
【課題を解決するための手段】
【００１２】
上記課題を解決すべく、請求項１の発明は、画像形成装置であって、各機能を設定するための複数の機能ボタンに対応する複数のアイコンを所定方向に配列して表示するアイコン表示領域と前記複数の機能ボタンのうちの１または２以上の機能ボタンを表示する機能ボタン表示領域とを有する設定画面を表示する表示手段と、前記アイコン表示領域において前記所定方向に配列された前記複数のアイコンの中から所定幅の指定範囲内の一部のアイコンを指定する範囲指定入力を受け付ける入力制御手段と、前記範囲指定入力に応答して、前記一部のアイコンに対応する一部の機能ボタンを前記機能ボタン表示領域に表示する表示制御手段とを備え、前記複数の機能ボタンは、機能属性に応じて複数のグループに分類され、前記設定画面は、前記複数のグループのうちの一のグループに属する機能ボタンを前記機能ボタン表示領域に表示すべき旨のグループ表示指示入力を受け付けるグループ表示指示領域をも有し、前記入力制御手段は、前記グループ表示指示領域に対する前記グループ表示指示入力をも受け付け、前記表示制御手段は、前記グループ表示指示入力に応答して、前記グループ表示指示入力で指定された特定のグループに属する機能ボタンを前記機能ボタン表示領域に表示することを特徴とする。
【００１３】
請求項２の発明は、請求項１の発明に係る画像形成装置において、前記グループ表示指示領域には、前記複数のグループのうちの各グループを前記特定のグループとしてそれぞれ指定するための複数のグループ指定ボタンが配置されることを特徴とする。
【００１４】
請求項３の発明は、請求項２の発明に係る画像形成装置において、前記複数のグループ指定ボタンは、前記アイコン表示領域と前記機能ボタン表示領域との双方に対して独立して設けられた前記グループ表示指示領域内に配置されることを特徴とする。
【００１５】
請求項４の発明は、請求項２の発明に係る画像形成装置において、前記複数のグループ指定ボタンは、それぞれ、前記アイコン表示領域内に配列された前記複数のアイコンのうち各グループ指定ボタンの機能に対応するアイコン群の近傍に配置されることを特徴とする。
【００１６】
請求項５の発明は、請求項２ないし請求項４のいずれかの発明に係る画像形成装置において、前記表示制御手段は、前記複数のグループ指定ボタンのうちの特定のグループ指定ボタンの押下操作に応答して前記特定のグループに属する機能ボタンが前記機能ボタン表示領域に表示されている場合において、前記複数のグループ指定ボタンのうち、ユーザによって押下された前記特定のグループ指定ボタンと当該特定のグループ指定ボタン以外のグループ指定ボタンとを互いに異なる態様で表示することを特徴とする。
【００１７】
請求項６の発明は、請求項１の発明に係る画像形成装置において、前記グループ表示指示領域は、前記複数のグループのうちの各グループを前記特定のグループとしてそれぞれ指定するための複数のグループ指定領域に区分されることを特徴とする。
【００１８】
請求項７の発明は、請求項１ないし請求項６のいずれかの発明に係る画像形成装置において、前記表示制御手段は、前記複数のグループのうちの前記特定のグループに対する前記グループ表示指示入力が付与されると、前記複数の機能ボタンのうち前記特定のグループに属する機能ボタンのみを前記機能ボタン表示領域に表示することを特徴とする。
【００１９】
請求項８の発明は、請求項１ないし請求項６のいずれかの発明に係る画像形成装置において、前記表示制御手段は、前記複数のグループのうちの前記特定のグループに対する前記グループ表示指示入力が付与されると、前記特定のグループに属する機能ボタンと前記特定のグループに属しない機能ボタンとを互いに異なる態様で前記機能ボタン表示領域に表示することを特徴とする。
【００２０】
請求項９の発明は、請求項８の発明に係る画像形成装置において、前記表示制御手段は、前記複数のグループのうちの前記特定のグループに対する前記グループ表示指示入力が付与されると、前記アイコン表示領域における前記複数のアイコンのうち、前記特定のグループに属するアイコンと前記特定のグループに属しないアイコンとを互いに異なる態様で表示することを特徴とする。
【００２１】
請求項１０の発明は、請求項１ないし請求項６のいずれかの発明に係る画像形成装置において、前記表示制御手段は、前記複数のグループのうちの特定のグループに対する前記グループ表示指示入力が付与されると、前記特定のグループに属する機能ボタンと前記特定のグループに属しない機能ボタンとを、前記所定方向に垂直な方向において互いにずらした状態で前記機能ボタン表示領域に表示することを特徴とする。
【００２２】
請求項１１の発明は、請求項１０の発明に係る画像形成装置において、前記表示制御手段は、前記複数のグループのうちの前記特定のグループに対する前記グループ表示指示入力が付与されると、前記アイコン表示領域における前記複数のアイコンのうち、前記特定のグループに属するアイコンと前記特定のグループに属しないアイコンとを前記所定方向に垂直な方向において互いにずらした状態で表示することを特徴とする。
【００２３】
請求項１２の発明は、請求項１ないし請求項１１のいずれかの発明に係る画像形成装置において、前記表示制御手段は、前記一部のアイコンに対応する一部の機能ボタンが前記機能ボタン表示領域に表示される第１の表示状態から、前記グループ表示指示入力で指定された前記特定のグループに属する機能ボタンが前記機能ボタン表示領域に表示される第２の表示状態への遷移後において、前記アイコン表示領域内のアイコン列またはスライダに対するユーザ操作が受け付けられると、前記第２の表示状態から前記第１の表示状態への遷移動作を実行することを特徴とする。
【００２４】
請求項１３の発明は、請求項１ないし請求項１１のいずれかの発明に係る画像形成装置において、前記表示制御手段は、前記一部のアイコンに対応する一部の機能ボタンが前記機能ボタン表示領域に表示される第１の表示状態から、前記グループ表示指示入力で指定された前記特定のグループに属する機能ボタンが前記機能ボタン表示領域に表示される第２の表示状態への遷移後において、前記特定のグループに関する前記グループ表示指示入力が前記グループ表示指示領域を用いて再び受け付けられると、前記第２の表示状態から前記第１の表示状態への遷移動作を実行することを特徴とする。
【００２５】
請求項１４の発明は、請求項１ないし請求項１１のいずれかの発明に係る画像形成装置において、前記表示制御手段は、前記一部のアイコンに対応する一部の機能ボタンが前記機能ボタン表示領域に表示される第１の表示状態から、前記グループ表示指示入力で指定された前記特定のグループに属する機能ボタンが前記機能ボタン表示領域に表示される第２の表示状態への遷移後において、前記特定のグループに属する特定の機能ボタンの押下に応答して行われる機能設定操作が完了すると、前記第２の表示状態から前記第１の表示状態への遷移動作を実行することを特徴とする。
【００２６】
請求項１５の発明は、請求項１ないし請求項１１のいずれかの発明に係る画像形成装置において、前記表示制御手段は、前記一部のアイコンに対応する一部の機能ボタンが前記機能ボタン表示領域に表示される第１の表示状態から、前記グループ表示指示入力で指定された前記特定のグループに属する機能ボタンが前記機能ボタン表示領域に表示される第２の表示状態への遷移後において、無操作期間が所定期間継続すると、前記第２の表示状態から前記第１の表示状態への遷移動作を実行することを特徴とする。
【００２７】
請求項１６の発明は、コンピュータに、ａ）各機能を設定するための複数の機能ボタンに対応する複数のアイコンを所定方向に配列して表示するアイコン表示領域と前記複数の機能ボタンのうちの１または２以上の機能ボタンを表示する機能ボタン表示領域と前記複数の機能ボタンの分類用の複数のグループのうちの一のグループに属する機能ボタンを前記機能ボタン表示領域に表示すべき旨のグループ表示指示入力を受け付けるグループ表示指示領域とを有する設定画面を表示するステップと、ｂ）前記アイコン表示領域にて前記所定方向に配列された前記複数のアイコンのうち所定幅の指定範囲内の一部のアイコンに対応する一部の機能ボタンが前記機能ボタン表示領域に表示される第１の表示状態において、前記グループ表示指示領域に対する前記グループ表示指示入力を受け付けるステップと、ｃ）前記グループ表示指示入力に応答して、前記グループ表示指示入力で指定された特定のグループに属する機能ボタンが前記機能ボタン表示領域に表示される第２の表示状態への遷移動作を実行するステップとを実行させるためのプログラムであることを特徴とする。
【発明の効果】
【００２８】
請求項１ないし請求項１６に記載の発明によれば、画像形成装置の設定画面に関してユーザの操作性を向上させることが可能である。
【図面の簡単な説明】
【００２９】
【図１】画像形成装置の構成を示す機能ブロック図である。
【図２】設定画面（第１の表示状態）を示す図である。
【図３】複数の機能に関する分類を示す図である。
【図４】設定画面（第２の表示状態）を示す図である。
【図５】グループ指定ボタン押下時の画像形成装置の動作を示すフローチャートである。
【図６】アイコン表示領域に対する操作が行われたときの画像形成装置の動作を示すフローチャートである。
【図７】グループ指定ボタンが強調表示される様子を示す図である。
【図８】他の機能ボタンがグレーアウト表示される様子を示す図である。
【図９】特定グループの機能ボタンと他の機能ボタンとが互いに異なる大きさで表示される様子を示す図である。
【図１０】特定グループの機能ボタンと他の機能ボタンとが互いに異なる形状で表示される様子を示す図である。
【図１１】特定グループの機能ボタンと他の機能ボタンとが上下方向において互いにずらされて表示される様子を示す図である。
【図１２】機能名称表示領域がグループ指定ボタンとして利用される態様を示す図である。
【図１３】機能名称表示領域がアイコン表示領域内のアイコン列の下側に設けられている様子を示す図である。
【図１４】複数のグループ指定領域を有する設定画面を示す図である。
【図１５】変形例に係る動作を示すフローチャートである。
【図１６】設定画面に重畳表示されるダイアログ画面を示す図である。
【発明を実施するための形態】
【００３０】
以下、本発明の実施形態を図面に基づいて説明する。
【００３１】
＜１．構成＞
図１は、画像形成装置１の構成を示す機能ブロック図である。ここでは、画像形成装置１は、マルチ・ファンクション・ペリフェラル（Multi Function Peripheral）（ＭＦＰとも略称する）として構成されているものとする。当該ＭＦＰは、スキャナ機能、プリンタ機能、コピー機能およびファクシミリ通信機能などを備える装置（複合機とも称する）である。
【００３２】
図１に示すように、画像形成装置１は、画像読取部２、印刷出力部３、通信部４、格納部５、入出力部６およびコントローラ９等を備えており、これらの各部を複合的に動作させることによって、各種の機能を実現する。
【００３３】
画像読取部２は、画像形成装置１の所定の位置に載置された原稿を光学的に読み取って、当該原稿の画像データ（原稿画像とも称する）を生成する処理部である。
【００３４】
印刷出力部３は、対象画像に関する画像データに基づいて紙などの各種の媒体に画像を印刷出力する出力部である。
【００３５】
通信部４は、公衆回線等を介したファクシミリ通信を行うことが可能な処理部である。さらに、通信部４は、ネットワークＮＷを介したネットワーク通信が可能である。このネットワーク通信では、ＴＣＰ／ＩＰ（Transmission Control Protocol / Internet Protocol）およびＦＴＰ（File Transfer Protocol）等の各種のプロトコルが利用され、当該ネットワーク通信を利用することによって、画像形成装置１は、所望の相手先との間で各種のデータを授受することが可能である。
【００３６】
格納部５は、ハードディスクドライブ（ＨＤＤ）および不揮発性メモリ等の格納装置で構成される。
【００３７】
入出力部６は、画像形成装置１に対する入力を受け付ける操作入力部６ａと、各種情報の表示出力を行う表示部６ｂとを備えている。具体的には、画像形成装置１には、入出力部６として機能する操作パネル部６ｐ（不図示）が設けられている。この操作パネル部６ｐは、各種ハードキーとタッチスクリーン６ｃ（図２参照）とを有している。
【００３８】
タッチスクリーン６ｃは、液晶表示パネルに圧電センサ等が埋め込まれて構成されており、表示部６ｂの一部として機能するとともに、操作入力部６ａの一部としても機能する。詳細には、タッチスクリーン６ｃは、液晶表示パネルに各種の情報を表示することが可能であるとともに、液晶表示パネルに対する操作者の手指の操作位置を検知して、各種の入力を受け付けることも可能である。たとえば、タッチスクリーン６ｃに表示された（仮想的な）ボタンが操作者の手指によって触れられると、このような操作は当該ボタンに対する押下操作であるとみなされる。
【００３９】
このように、入出力部６は、操作者による入力操作を受け付けることが可能である。
【００４０】
コントローラ９は、画像形成装置１を統括的に制御する制御部であり、ＣＰＵと、各種の半導体メモリ（ＲＡＭおよびＲＯＭ等）とを備えて構成される。コントローラ９の制御下において各種の処理部が動作することによって、画像形成装置１の各種の機能が実現される。コントローラ９は、ＣＰＵにおいて、ＲＯＭ（例えば、ＥＥＰＲＯＭ等）内に格納されている所定のソフトウエアプログラム（以下、単にプログラムとも称する）ＰＧを実行することによって、各種の処理部を実現する。なお、当該プログラムＰＧ等は、ネットワークを経由してダウンロードされて取得されるようにしてもよく、あるいは、各種の可搬性記録媒体（ＵＳＢメモリ等）を介して取得されるようにしてもよい。
【００４１】
具体的には、コントローラ９は、設定処理部１１、表示制御部１２および入力制御部１４を含む各種の処理部を実現する。
【００４２】
設定処理部１１は、タッチスクリーン６ｃに表示された設定画面を用いて、画像形成装置１における各種の機能を設定する処理部である。
【００４３】
表示制御部１２は、各種画面等をタッチスクリーン６ｃに表示する表示動作を制御する処理部である。
【００４４】
入力制御部１４は、ユーザからの指示入力を受け付ける処理部である。具体的には、入力制御部１４は、タッチスクリーン６ｃ等に表示された各種の操作要素（スライダＳＬ、グループ指定ボタンＧＴ、機能ボタンＢＴ等）を介して、ユーザからの指示入力を受け付ける。
【００４５】
＜２．設定画面ＧＡ＞
図２は、タッチスクリーン６ｃに表示される設定画面（詳細には、設定に関するメニュー画面）ＧＡを示す図である。
【００４６】
画像形成装置１の初期状態においては、図２に示すような設定画面ＧＡが画像形成装置１のタッチスクリーン６ｃに表示される。
【００４７】
設定画面ＧＡは、アイコン表示領域ＲＣと機能ボタン表示領域ＲＢとを有する。アイコン表示領域ＲＣおよび機能ボタン表示領域ＲＢは、それぞれ、水平方向に伸びる細長い領域（帯状領域）である。アイコン表示領域ＲＣは、タッチスクリーン６ｃ内において、機能ボタン表示領域ＲＢの下側に設けられる。また、機能ボタン表示領域ＲＢは、タッチスクリーン６ｃ内において、アイコン表示領域ＲＣの上側に設けられる。後述するように、機能ボタン表示領域ＲＢにおける表示内容は、アイコン表示領域ＲＣに対する操作等に応じて変更される。
【００４８】
アイコン表示領域ＲＣには、各機能を設定するための複数の機能ボタンＢＴに対応する複数のアイコンＣＮが、水平方向に配列された状態で表示される。このアイコン表示領域ＲＣにおいては、複数のアイコンＣＮは、それぞれの機能に応じて複数の機能グループ（単にグループとも表現する）に分類された状態（詳細には、機能グループごとに纏められた状態）で表示される。
【００４９】
この実施形態においては、複数（ここでは合計２２個）の機能が、その属性に応じて、複数（ここでは５個）のグループＧＰ１〜ＧＰ５（「基本設定」グループ、「原稿」グループ、「レイアウト」グループ、「仕立て」グループおよび「画質／濃度」グループ）に分類される態様を例示する。具体的には、図３にも示すように、「基本設定」グループＧＰ１には、５つの機能（「カラー」、「濃度」、「原稿画質」、「用紙」および「倍率」）が所属し、「原稿」グループＧＰ２には、４つの機能（「原稿設定」、「ブック原稿」、「連続読込」および「自動画像回転」）が所属する。また、「レイアウト」グループＧＰ３には、６つの機能（「小冊子」、「綴じ代（とじしろ）」、「画像シフト」、「鏡像」、「リピート」および「拡大連写」）が所属する。さらに、「仕立て」グループＧＰ４には、４つの機能（「ＯＨＰ合紙」、「カバーシート」、「インターシート」および「章分け」）が所属し、「画質／濃度」グループＧＰ５には、３つの機能（「下地調整」、「文字再現」および「光沢コピー」）が所属する。
【００５０】
なお、このような分類の結果、全２２個の機能ボタンＢＴも、対応する機能の属性に応じて複数のグループＧＰ１〜ＧＰ５に分類（カテゴライズ）される。同様に、全２２個の機能に対応する合計２２個のアイコンＣＮも、対応する機能の属性に応じて複数のグループＧＰ１〜ＧＰ５に分類（カテゴライズ）される。また、これらの複数のグループＧＰ１〜ＧＰ５は、機能ボタン（およびアイコン）の分類用のグループあるいは分類先のグループなどとも表現される。
【００５１】
そして、上記のアイコン表示領域ＲＣにおいては、上述の「２２」個の機能に対応する合計２２個のアイコンＣＮが、水平方向において略直線状に配列された状態且つ機能グループごとに纏めて配置された状態で表示される。たとえば、アイコン表示領域ＲＣの左端側の５つのアイコンＣＮ１１〜ＣＮ１５は、基本設定グループＧＰ１の５つの機能（「カラー」、「濃度」、「原稿画質」、「用紙」および「倍率」）にそれぞれ対応するアイコンである。その右側には、原稿グループＧＰ２の４つの機能にそれぞれ対応する４つのアイコンＣＮ２１〜ＣＮ２４が配列されている。同様にさらにその右側には、レイアウトグループＧＰ３の６つの機能にそれぞれ対応する６つのアイコンＣＮ３１〜ＣＮ３６が配列されている。さらにその右側には、仕立てグループＧＰ４の４つの機能にそれぞれ対応する４つのアイコンＣＮ４１〜ＣＮ４４、および画質／濃度グループＧＰ５の３つの機能にそれぞれ対応する３つのアイコンＣＮ５１〜ＣＮ５３が水平方向に順次配列されている。このように、全２２個のアイコンＣＮは、対応する機能ボタンＢＴの機能の属性に応じて複数のグループに分類（カテゴライズ）された状態でアイコン表示領域ＲＣに表示される。
【００５２】
また、アイコン表示領域ＲＣにおいては、複数の機能名称表示領域ＧＬ１〜ＧＬ５が設けられている。各機能名称表示領域ＧＬｉは、それぞれ、アイコン表示領域ＲＣ内に配列された複数のアイコンＣＮのうち各機能名称表示領域ＧＬｉの機能に対応するアイコンの近傍（より詳細には近傍上側）に配置されている。すなわち、各機能名称表示領域ＧＬｉは、対応アイコンＣＮの近傍上側にそれぞれ配置されている。たとえば、機能名称表示領域ＧＬ１は、グループＧＰ１に対応するアイコン群ＣＮ１（ＣＮ１１〜ＣＮ１５）の近傍に配置されており、機能名称表示領域ＧＬ２は、グループＧＰ２に対応するアイコン群ＣＮ２（ＣＮ２１〜ＣＮ２４）の近傍に配置されている。他の機能名称表示領域ＧＬ３〜ＧＬ５についても同様である。
【００５３】
また、アイコン表示領域ＲＣには、当該アイコン表示領域ＲＣ内の複数のアイコンＣＮの中から一部のアイコンを選択するためのスライダＳＬが設けられている。スライダＳＬは、範囲指定枠ＦＲとつまみ部ＴＨとを有する。ユーザは、つまみ部ＴＨを押下したまま引きずって移動させる操作（ドラッグ操作）を行うことによって、スライダＳＬを左右方向（水平方向）に移動させることが可能である。スライダＳＬの移動に伴って、所定幅（たとえば、８個〜９個のアイコンの配列幅）の範囲指定枠ＦＲも移動する。ユーザは、範囲指定枠ＦＲを移動させることによって、機能ボタン表示領域ＲＢに表示すべき範囲を変更（指定）することができる。詳細には、移動後の範囲指定枠ＦＲによって囲まれた範囲（指定範囲）内のアイコンに対応する機能ボタンＢＴが、機能ボタン表示領域ＲＢでの表示対象ボタンとして新たに指定される。
【００５４】
たとえば、図２においては、基本設定グループＧＰ１の右端のアイコンＣＮ１５と原稿グループＧＰ２の４つのアイコンＣＮ２１〜ＣＮ２４とレイアウトグループＧＰ３の左端側の４つのアイコンＣＮＣ１〜ＣＮ３４とが範囲指定枠ＦＲによって囲まれている。このとき、機能ボタン表示領域ＲＢには、範囲指定枠ＦＲによって指定されたこれらのアイコンに対応する機能ボタンが表示される。具体的には、基本設定グループＧＰ１の機能ボタンＢＴ１５と原稿グループＧＰ２の４つの機能ボタンＢＴ２１〜ＢＴ２４とレイアウトグループＧＰ３の４つの機能ボタンＢＴ３１〜ＢＴ３４とが機能ボタン表示領域ＲＢに表示される。ただし、図２では、範囲指定枠ＦＲが両端の各アイコンＣＮ１４，ＣＮ３４の略半分のみを囲んでいるため、両端の機能ボタンＢＴ１５，ＢＴ３４は、それぞれ、略半分のみが表示されている。
【００５５】
このように、機能ボタン表示領域ＲＢには、全ての機能ボタンＢＴのうちの一部の機能ボタンＢＴ１５，ＢＴ２１〜ＢＴ２４，ＢＴ３１〜ＢＴ３５が表示される。より詳細には、まず、ユーザは、スライダＳＬ（詳細には範囲指定枠ＦＲ）の移動操作を伴って、アイコン表示領域ＲＣに表示された全アイコンの中から一部のアイコンを指定する。このような操作入力、具体的にはアイコン表示領域ＲＣにて水平方向に配列された全アイコンの中から一部のアイコンを範囲指定枠ＦＲを用いて指定する操作入力（範囲指定入力）は、入力制御部１４によって受け付けられる。そして、表示制御部１２は、当該範囲指定入力によって指定された当該一部のアイコンに対応する一部の機能ボタンＢＴ１５，ＢＴ２１〜ＢＴ２４，ＢＴ３１〜ＢＴ３５を、機能ボタン表示領域ＲＢに表示する。なお、このような操作は、アイコン表示領域ＲＣのアイコン列で示された全体マップに対して範囲指定枠ＦＲを移動させることにより、機能ボタン表示領域ＲＢ内における表示対象の機能ボタンＢＴをスクロールさせる操作（あるいはマップスクロール操作）などとも表現される。
【００５６】
また、機能ボタン表示領域ＲＢ内のいずれかの機能ボタンが押下されると、画像形成装置１（設定処理部１１および表示制御部１２）は、当該押下された機能ボタンに関する詳細設定用のダイアログ画面ＤＳを表示する（図１６参照）。なお、図１６は、機能ボタンＢＴ２３が押下された直後の様子を示す図である。その後、ダイアログ画面ＤＳを用いた詳細設定操作が完了すると、ダイアログ画面ＤＳが非表示にされ、元の設定画面（図２）に戻る。
【００５７】
以上のように、アイコン表示領域ＲＣにおけるマップスクロール操作（アイコン列で示された全体マップに対するスクロール操作）に応じて、機能ボタン表示領域ＲＢにおいて機能ボタンＢＴが選択的に表示される。なお、アイコン表示領域ＲＣ（アイコン列およびスライダＳＬを含む）は、マップスクロール操作を行うものであることから、「マップスクローラ」（ＭＳ）などとも表現される。
【００５８】
さらに、この設定画面ＧＡには、グループ表示指示領域（グループ指定ボタン表示領域とも称される）ＲＦも設けられる。グループ表示指示領域ＲＦは、複数のグループＧＰ１〜ＧＰ５のうちの一のグループに属する機能ボタンＢＴを機能ボタン表示領域ＲＢに表示すべき旨の操作入力（グループ表示指示入力とも称する）を受け付ける領域である。
【００５９】
グループ表示指示領域ＲＦは、水平方向に伸びる細長い領域（帯状領域）であり、機能ボタン表示領域ＲＢとアイコン表示領域ＲＣとの双方に対して独立（分離）した態様で、機能ボタン表示領域ＲＢの上側に設けられている。このグループ表示指示領域ＲＦは、複数のグループの中から所望のグループを指定（選択）するための複数のボタン（グループ指定ボタンとも称する）ＧＴを有している。ここでは、５つのグループ指定ボタンＧＴ１〜ＧＴ５がグループ表示指示領域ＲＦに配置されている。各グループ指定ボタンＧＴ１〜ＧＴ５は、対応する各グループＧＰ１〜ＧＰ５をそれぞれ表示対象グループとして指定するためのボタンである。換言すれば、各グループ指定ボタンＧＴは、対応する特定のグループに属する機能ボタンを機能ボタン表示領域ＲＢに表示すべき旨を指示するグループ表示指示入力を付与するために用いられる。たとえば、グループ指定ボタンＧＴ２は、対応する特定のグループＧＰ２に属する機能ボタンＢＴを機能ボタン表示領域ＲＢに表示すべき旨を指示するためのボタンである。
【００６０】
なお、複数の機能ボタンＢＴは、機能グループごとに決定された色で表示されてもよく、あるいは、全て同じ色で表示されてもよい。複数のアイコンＣＮおよび複数のグループ指定ボタンＧＴも同様に、機能グループごとに決定された色で表示されてもよく、あるいは、全て同じ色で表示されてもよい。
【００６１】
＜３．表示状態遷移および遷移後の設定画面ＧＢ＞
５つのグループ指定ボタンＧＴ１〜ＧＴ５のうちの一のボタンがユーザによって押下されると、押下されたグループ指定ボタンＧＴに対応するグループの機能ボタンが機能ボタン表示領域ＲＢに表示される。
【００６２】
たとえば、５つのグループ指定ボタンＧＴ１〜ＧＴ５のうちグループ指定ボタンＧＴ２が押下されると、複数のグループＧＰ１〜ＧＰ５のうちの特定のグループＧＰ２に対するグループ表示指示入力が付与されたものと判定される。そして、図２の設定画面ＧＡは、図４の設定画面ＧＡ（ＧＢとも表記する）に変更される。ここでは、グループ指定ボタンＧＴの押下前後（グループ表示指示入力の前後）の両状態を互いに区別するため、設定画面ＧＡに関する図２の表示状態を第１の表示状態ＳＴ１とも称し、設定画面ＧＡに関する図４の表示状態を第２の表示状態ＳＴ２とも称する。
【００６３】
以下では、５つのグループ指定ボタンＧＴ１〜ＧＴ５のいずれか（たとえば、グループ指定ボタンＧＴ２）が押下された際の動作について、図５等を参照しながら詳細に説明する。なお、図５は、グループ指定ボタン押下時の画像形成装置１の動作を示すフローチャートである。
【００６４】
まず、図５のステップＳ１１において、押下されたグループ指定ボタンＧＴに対応するグループ（機能グループ）が特定される。また、ステップＳ１２において、特定された機能グループに属する機能ボタンが表示されている状態（第２の表示状態ＳＴ２、図４参照）であるか、あるいは範囲指定枠ＦＲによって指定された一部のアイコンに対応する一部の機能ボタンが表示されている状態（第１の表示状態ＳＴ１、図２参照）であるかが判定される。端的に言えば、設定画面ＧＡ（図２）と設定画面ＧＢ（図４）とのいずれがタッチスクリーン６ｃに表示されているかが判定される。なお、ステップＳ１１，Ｓ１２の処理は、入力制御部１４等によって行われる。
【００６５】
タッチスクリーン６ｃに第１の表示状態ＳＴ１の設定画面ＧＡ（図２）が未だ表示されていると判定されるときには、ステップＳ１３以降に進む。詳細には、グループ指定ボタンＧＴ２が押下された時点にて、第１の表示状態ＳＴ１の設定画面ＧＡ（図２）が未だ表示されているときには、複数のグループのうち指定された一のグループに属する機能ボタンを表示すべき旨の指示入力（グループ表示指示入力）が受け付けられたものと判定され、ステップＳ１３以降に進む。
【００６６】
ステップＳ１３においては、ステップＳ１１で特定されたグループに属する機能ボタンが抽出される。そして、ステップＳ１４において、抽出した機能ボタンが機能ボタン表示領域ＲＢに表示される。このように、グループ表示指示入力に応答して、当該グループ表示指示入力で指定された特定のグループに属する（１又は２以上の）機能ボタンＢＴが、機能ボタン表示領域ＲＢに表示される。さらに、ステップＳ１５においては、被押下ボタンＧＴが強調表示されるとともに、アイコン表示領域ＲＣにおけるスライダＳＬの表示態様が変更される。なお、ステップＳ１３〜Ｓ１５の処理は、表示制御部１２等によって行われる。
【００６７】
たとえば、押下されたグループ指定ボタンＧＴ２に対応するグループ（機能グループ）ＧＰ２がステップＳ１１で特定されると、ステップＳ１３では当該グループＧＰ２に属する機能ボタンＢＴ２１〜ＢＴ２４が抽出される。また、ステップＳ１４では、範囲指定入力によって指定された一部のアイコンに対応する機能ボタンＢＴ１５，ＢＴ２１〜ＢＴ２４，ＢＴ３１〜ＢＴ３５に代えて、特定のグループＧＰ２に属する機能ボタンＢＴ２１〜ＢＴ２４が機能ボタン表示領域ＲＢに表示される。すなわち、当該機能ボタンＢＴ２１〜ＢＴ２４のみが機能ボタン表示領域ＲＢに選択的に表示され、他のボタンＢＴ１５，ＢＴ３１〜ＢＴ３５は、機能ボタン表示領域ＲＢには表示されない（非表示にされる）。これによれば、全機能ボタンの中から「機能」（機能種類）で絞り込まれた機能ボタンのみが表示されるので、ユーザは所望の機能ボタンを探し易い。そして、ステップＳ１５では、押下されたグループ指定ボタンＧＴ２が太枠で囲われて強調表示される。これによれば、被選択機能が判り易い。また、ステップＳ１５では、アイコン表示領域ＲＣにおける範囲指定枠ＦＲの長さおよび位置が変更される。具体的には、機能ボタン表示領域ＲＢに表示中の機能ボタンＢＴ２１〜ＢＴ２４に対応するアイコンのみを範囲指定枠ＦＲが囲むように、範囲指定枠ＦＲの位置および長さがそれぞれ調整される。また、スライダＳＬのつまみ部ＴＨも非表示にされる。
【００６８】
このように、複数のグループ指定ボタンのうちの特定のグループ指定ボタンＧＴ２の押下（グループ表示指示入力）に応答して、第２の表示状態ＳＴ２を有する図４の設定画面ＧＡ（ＧＢ）がタッチスクリーン６ｃに表示される。この第２の表示状態ＳＴ２においては、グループ指定ボタンＧＴ２に対応するグループＧＰ２に属する機能ボタンＢＴ２１〜ＢＴ２４が機能ボタン表示領域ＲＢに表示される。そして、この設定画面ＧＢ（図４）において機能ボタン表示領域ＲＢ内のいずれかの機能ボタンが押下されると、画像形成装置１（設定処理部１１および表示制御部１２）は、当該押下された機能ボタンに関する詳細設定用のダイアログ画面ＤＳを表示する（図１６参照）。その後、ダイアログ画面ＤＳを用いた詳細設定操作（ユーザ操作）が完了すると、表示制御部１２等により、ダイアログ画面ＤＳが非表示にされ、元の画面（図４の設定画面ＧＢ（第２の表示状態ＳＴ２））に戻る。
【００６９】
一方、タッチスクリーン６ｃに設定画面ＧＢ（図４）が既に表示されているとステップＳ１２で判定されるときには、直ちに本処理が終了する。たとえば、グループ指定ボタンＧＴ２が一度押下された後に同じグループ指定ボタンＧＴ２が続けて再び押下されたときには、設定画面ＧＢ（図４）が既に表示されている（表示状態ＳＴ１から表示状態ＳＴ２への状態遷移が既に終了している）と判定され、何も行われない。
【００７０】
＜４．画面復帰＞
つぎに、第２の表示状態ＳＴ２から第１の表示状態ＳＴ１への状態遷移動作、換言すれば設定画面ＧＢ（図４）から設定画面ＧＡ（図２）への再遷移動作について図６を参照しながら説明する。この実施形態では、第２の表示状態ＳＴ２においてアイコン表示領域ＲＣに対するユーザ操作（アイコン表示領域ＲＣ内のアイコン列あるいはスライダＳＬ（範囲指定枠ＦＲ等）への接触操作）が受け付けられると、第２の表示状態ＳＴ２から第１の表示状態ＳＴ１への状態遷移（復帰動作）が行われる。なお、図６は、アイコン表示領域ＲＣに対する操作が行われたときの画像形成装置１の動作を示すフローチャートである。
【００７１】
図６のステップＳ２１においては、ステップＳ１２と同様の判定動作が実行される。第２の表示状態ＳＴ２に係る設定画面ＧＡ（ＧＢ）がタッチスクリーン６ｃに表示されていると判定されるときには、ステップＳ２２に進む。ステップＳ２２では、第２の表示状態ＳＴ２から第１の表示状態ＳＴ１への状態遷移が実行される。
【００７２】
具体的には、直前の第１の表示状態ＳＴ１にて機能ボタン表示領域ＲＢに表示されていた機能ボタンＢＴ１５，ＢＴ２１〜ＢＴ２４，ＢＴ３１〜ＢＴ３５が、機能ボタン表示領域ＲＢに再び表示される。換言すれば、範囲指定入力によって指定されていた一部のアイコンに対応する機能ボタンＢＴ１５，ＢＴ２１〜ＢＴ２４，ＢＴ３１〜ＢＴ３５が、特定のグループＧＰ２に属する機能ボタンＢＴ２１〜ＢＴ２４に代えて、機能ボタン表示領域ＲＢに再び表示される。また、グループ指定ボタンＧＴ２の強調表示は解除される。さらに、アイコン表示領域ＲＣにおけるスライダＳＬの表示態様も元に戻る。具体的には、範囲指定枠ＦＲの長さおよび位置が元の状態に戻るとともに、スライダＳＬのつまみ部ＴＨが再び表示される。これにより、第１の表示状態ＳＴ１の設定画面ＧＡがタッチスクリーン６ｃに再び表示される。
【００７３】
一方、第１の表示状態ＳＴ１に係る設定画面ＧＡ（図２）がタッチスクリーン６ｃに表示されていると判定されるときには、ステップＳ２１からステップＳ２３に進む。ステップＳ２３では、マップスクロール操作（アイコン列で示された全体マップに対するスクロール操作）に応じた動作が実行される。具体的には、スライダＳＬの移動操作（範囲指定枠ＦＲによる表示範囲指定操作）に応答して、機能ボタン表示領域ＲＢに表示される機能ボタン（表示対象ボタン）が変更される。
【００７４】
＜５．実施形態の効果＞
以上のような動作によれば、設定画面ＧＡにおいてグループ指定ボタンＧＴ２を押下すると、当該グループ指定ボタンＧＴ２に対応する機能ボタンＢＴ２１〜ＢＴ２４が機能ボタン表示領域ＲＢに選択的に表示される。したがって、ユーザは、マップスクロール操作によって全機能を俯瞰することが可能であるとともに、所望の機能グループに属する機能ボタンをスライダＳＬの操作を伴うことなく容易に呼び出すことができる。そのため、簡易な操作で、所望の機能ボタンに関する設定を行うことが可能である。特に、設定対象機能に対応する機能グループを既に知っているユーザは、高い操作性を得ることができる。
【００７５】
また、上記実施形態においては、機能グループ指定用のグループ指定ボタンＧＴがアイコン表示領域ＲＣとは独立して設けられている。したがって、ユーザは、機能グループ指定用のグループ指定ボタンＧＴを容易に視認することが可能である。そのため、当該グループ指定ボタンＧＴを用いて、機能ボタン表示領域ＲＢにおける表示対象の機能グループを指定する指定操作を容易に行うことが可能である。
【００７６】
＜６．変形例等＞
以上、この発明の実施の形態について説明したが、この発明は上記説明した内容のものに限定されるものではない。
【００７７】
＜６−１．グループ指定ボタンＧＴ＞
たとえば、上記実施形態では、第２の表示状態ＳＴ２に係る設定画面ＧＡ（ＧＢ）（図２参照）において、グループ指定ボタンＧＴ２（詳細はその外形線）が太線の枠で囲まれて強調表示される態様が例示されているが、これに限定されない。
【００７８】
具体的には、図７に示すように、グループ指定ボタンＧＴ２の外形線の内側においてグループ指定ボタンＧＴ２内の文字が太線の枠で囲まれることによって、グループ指定ボタンＧＴ２が強調表示されるようにしてもよい。
【００７９】
また、グループ指定ボタンＧＴ２内の文字が太字（および／または斜体字）で表示されることによって、グループ指定ボタンＧＴ２が強調表示されるようにしてもよい。また、グループ指定ボタンＧＴ２内の文字が他のグループ指定ボタンＧＴ１，ＧＴ３〜ＧＴ５の文字色とは異なる色（文字色）で表示されることによって、グループ指定ボタンＧＴ２が強調表示されるようにしてもよい。さらには、グループ指定ボタンＧＴ２自体（文字の背景）が他のグループ指定ボタンＧＴ１，ＧＴ３〜ＧＴ５とは異なる色（背景色）で表示されることによって、グループ指定ボタンＧＴ２が強調表示されるようにしてもよい。
【００８０】
あるいは、グループ指定ボタンＧＴ２が通常表示される一方で、他のグループ指定ボタンＧＴ１，ＧＴ３〜ＧＴ５が半透明で表示（あるいはグレーアウト表示）されるようにしてもよい。このような手法によっても、押下されたグループ指定ボタンＧＴ２とそれ以外のグループ指定ボタンＧＴ１，ＧＴ３〜ＧＴ５とを識別表示することが可能である。
【００８１】
このように、複数のグループ指定ボタンＧＴのうち、ユーザによって押下された特定のグループ指定ボタンＧＴ２と、それ以外のグループ指定ボタンＧＴ１，ＧＴ３〜ＧＴ５とが互いに異なる態様で表示されるようにしてもよい。
【００８２】
＜６−２．機能ボタン表示領域ＲＢおよびアイコン表示領域ＲＣ＞
また、上記実施形態等においては、第２の表示状態ＳＴ２において、複数（全２２個）の機能ボタンＢＴのうち、グループ表示指示入力で指定された特定のグループＧＰ２に属する機能ボタンＢＴ２１〜ＢＴ２４のみが、機能ボタン表示領域ＲＢに表示されている（図４参照）。ただし、本発明は、これに限定されない。
【００８３】
たとえば、グループ表示指示入力に応答して、特定のグループＧＰ２に属する機能ボタンＢＴ２１〜ＢＴ２４と当該特定のグループＧＰ２に属しない機能ボタンとが互いに異なる態様で機能ボタン表示領域ＲＢに表示されてもよい。
【００８４】
具体的には、図８に示すように、第２の表示状態ＳＴ２において、特定のグループＧＰ２に属する機能ボタンＢＴ２１〜ＢＴ２４のみならず、隣接する他のボタンＢＴ１５，ＢＴ３１〜ＢＴ３５もが表示される。ただし、図８では、特定のグループＧＰ２に属する機能ボタンと特定のグループＧＰ２に属しない機能ボタンとを区別するため、特定のグループＧＰ２に属しない機能ボタンＢＴ（ＢＴ１５，ＢＴ３１〜ＢＴ３５等）は、グレーアウト表示（淡色表示）されている。なお、これに限定されず、特定のグループＧＰ２に属しない機能ボタンＢＴは半透明表示されてもよい。
【００８５】
また、図８に示すように、グループ表示指示入力に応答して、アイコン表示領域ＲＣにおけるアイコンＣＮの表示態様をも機能ボタン表示領域ＲＢの表示態様と同様に変更するようにしてもよい。具体的には、アイコン表示領域ＲＣにおける複数のアイコンのうち、特定のグループＧＰ２に属するアイコンと特定のグループＧＰ２に属しないアイコンとが互いに異なる態様で表示されるようにしてもよい。より具体的には、アイコン表示領域ＲＣにおいて、グループＧＰ２に属する４つのアイコンＣＮ２１〜ＣＮ２４のみが通常表示される一方で、グループＧＰ２に属しない他の１８個のアイコンＣＮはグレーアウト表示（淡色表示）されればよい。なお、これらの１８個のアイコンＣＮは半透明表示されてもよい。
【００８６】
このように、図８のような態様で機能ボタン表示領域ＲＢおよびアイコン表示領域ＲＣにおける表示動作が実行されるようにしてもよい。
【００８７】
あるいは、機能ボタン表示領域ＲＢおよびアイコン表示領域ＲＣは、第２の表示状態ＳＴ２において、図９のような態様で表示されるようにしてもよい。
【００８８】
図９においては、グループ表示指示入力に応答して、特定のグループＧＰ２に属しない機能ボタンＢＴ（ＢＴ１５，ＢＴ３１〜ＢＴ３５等）は、正方形形状から、機能ボタンＢＴ２１〜ＢＴ２４に比べてその高さが半減された矩形形状（長方形形状）へと変更されている。このように、機能ボタン表示領域ＲＢにおいて、ユーザにより指定された特定のグループに属する（１又は２以上の）機能ボタンと他の機能ボタン（当該特定のグループに属しない機能ボタン）とが（特に大きさおよび形状に関して）互いに異なる態様で機能ボタン表示領域ＲＢに表示されるようにしてもよい。
【００８９】
また、このとき図９に示すように、アイコン表示領域ＲＣにおけるアイコンＣＮの表示態様をも機能ボタン表示領域ＲＢの表示態様と同様に変更するようにしてもよい。具体的には、アイコン表示領域ＲＣにおいて、グループＧＰ２に属する４つのアイコンＣＮ２１〜ＣＮ２４のみが通常表示される一方で、グループＧＰ２に属しない他の１８個のアイコンＣＮは、各アイコンＣＮ２１〜ＣＮ２４の高さの半分の高さを有する矩形形状アイコン（長方形形状アイコン）として表示されるようにしてもよい。
【００９０】
あるいは、機能ボタン表示領域ＲＢおよびアイコン表示領域ＲＣは、第２の表示状態ＳＴ２において、図１０のような態様で表示されるようにしてもよい。
【００９１】
具体的には、特定のグループＧＰ２に属しない機能ボタンＢＴ（ＢＴ１５，ＢＴ３１〜ＢＴ３５等）の形状は正方形形状である一方で、特定のグループＧＰ２に属する機能ボタンＢＴ２１〜ＢＴ２４の形状が円形状に変更される。このようにして、機能ボタン表示領域ＲＢにおいては、ユーザにより指定された特定のグループに属する（１又は２以上の）機能ボタンと他の機能ボタン（当該特定のグループに属しない機能ボタン）とが（特に形状に関して）互いに異なる態様で機能ボタン表示領域ＲＢに表示されるようにしてもよい。
【００９２】
また、このとき図１０に示すように、アイコン表示領域ＲＣにおけるアイコンＣＮの表示態様をも機能ボタン表示領域ＲＢの表示態様と同様に変更するようにしてもよい。具体的には、アイコン表示領域ＲＣにおいて、特定のグループＧＰ２に属しない１８個のアイコンＣＮの形状は正方形形状である一方で、特定のグループＧＰ２に属する４つのアイコンＣＮ２１〜ＣＮ２４の形状が円形状に変更されるようにしてもよい。
【００９３】
なお、逆に、特定のグループＧＰ２に属する４つのアイコンＣＮ２１〜ＣＮ２４の形状を正方形のままに維持する一方で、特定のグループＧＰ２に属しない１８個のアイコンＣＮの形状を円形状に変更するようにしてもよい。同様に、特定のグループＧＰ２に属する４つの機能ボタンＢＴ２１〜ＢＴ２４の形状を正方形のままに維持する一方で、特定のグループＧＰ２に属しない他のボタンＢＴ１５，ＢＴ３１〜ＢＴ３４の形状を円形状に変更するようにしてもよい。同一の機能グループＧＰ２に属するボタンＢＴ２１〜ＢＴ２４とアイコンＣＮ２１〜ＣＮ２４とは、（対応関係を示すため）同じ形状で表示されることが好ましい。
【００９４】
このように、特定のグループＧＰ２の属否に応じて分類される２種類の機能ボタン群が、互いに異なる形状で識別表示されるようにしてもよい。同様に、特定のグループＧＰ２の属否に応じて分類される２種類のアイコン群が、互いに異なる形状で識別表示されるようにしてもよい。また、ここでは、機能ボタンあるいはアイコンの形状として、円形状、正方形形状、長方形形状を例示したが、これに限定されず、その他の形状（星形等）であってもよい。
【００９５】
あるいは、機能ボタン表示領域ＲＢおよびアイコン表示領域ＲＣは、第２の表示状態ＳＴ２において、図１１のような態様で表示されるようにしてもよい。
【００９６】
図１１においては、特定のグループＧＰ２に属しない機能ボタンＢＴ（ＢＴ１５，ＢＴ３１〜ＢＴ３５等）の高さ方向の位置が、機能ボタンＢＴ２１〜ＢＴ２４に比べて下側にシフトされている。このように、機能ボタン表示領域ＲＢにおいて、アイコン表示領域ＲＣにおける複数のアイコンのうち、特定のグループＧＰ２に属するアイコンＣＮ２１〜ＣＮ２４と当該特定のグループＧＰ２に属しないアイコンとが上下方向（水平方向に垂直な方向）において互いにずらされた状態で表示されるようにしてもよい。
【００９７】
また、このとき図１１に示すように、アイコン表示領域ＲＣにおけるアイコンＣＮの表示態様をも機能ボタン表示領域ＲＢの表示態様と同様に変更するようにしてもよい。具体的には、アイコン表示領域ＲＣにおいて、グループＧＰ２に属する４つのアイコンＣＮ２１〜ＣＮ２４が通常表示される一方で、グループＧＰ２に属しない他の１８個のアイコンＣＮの高さ方向の位置は、各アイコンＣＮ２１〜ＣＮ２４に比べて下側にシフトされればよい。すなわち、アイコン表示領域ＲＣにおける全２２個のアイコンのうち、特定のグループＧＰ２に属するアイコンＣＮ２１〜ＣＮ２４と当該特定のグループＧＰ２に属しないアイコンとが上下方向において互いにずらされた状態で表示されるようにしてもよい。
【００９８】
＜６−３．グループ表示指示＞
また、上記実施形態等においては、アイコン表示領域ＲＣと機能ボタン表示領域ＲＢとの双方に対して独立して設けられたグループ表示指示領域ＲＦ内に複数のグループ指定ボタンＧＴ（ＧＴ１〜ＧＴ５）が配置される態様（図２参照）が例示されているが、これに限定されない。
【００９９】
たとえば、図１２に示すように、アイコン表示領域ＲＣにおける複数の機能名称表示領域ＧＬがそれぞれグループ指定ボタンＧＴとして利用されるようにしてもよい。具体的には、第１の表示状態ＳＴ１において、複数の機能名称表示領域ＧＬは、それぞれ、アイコン表示領域ＲＣ内に配列された複数のアイコンＣＮのうち各機能名称表示領域ＧＬの機能に対応するアイコン群の近傍に配置されている。図１２においては、図２のような独立したグループ指定ボタンＧＴは設けられていない。その代わりに、図１２の複数の機能名称表示領域ＧＬは、それぞれ、グループ表示指示入力を受け付ける機能を有しており、当該複数の機能名称表示領域ＧＬがそれぞれグループ指定ボタンＧＴとして利用される。図１２の態様においては、複数の機能名称表示領域ＧＬを有するグループ表示指示領域ＲＦはアイコン表示領域ＲＣ内に設けられている。
【０１００】
なお、図１２では、アイコン表示領域ＲＣにおけるアイコン列の上側に複数の機能名称表示領域ＧＬが配置される態様が例示されているが、これに限定されない。たとえば、図１３に示すように、アイコン表示領域ＲＣにおけるアイコン列の下側に複数の機能名称表示領域ＧＬが配置され、当該複数の機能名称表示領域ＧＬがそれぞれグループ指定ボタンＧＴとして利用されるようにしてもよい。また、機能名称表示領域ＧＬは、図１２のように互いに独立して（分離して）配置されてもよいが、図１３のように左右方向（隣接方向）に互いに接触して連続的に配置されるようにしてもよい。
【０１０１】
あるいは、図１４に示すように、複数のグループ指定領域ＲＵ（ＲＵ１〜ＲＵ５）に対する操作によって、機能ボタン表示領域ＲＢに対する表示対象の機能グループが指定されるようにしてもよい。図１４は、第１の表示状態ＳＴ１における設定画面を示す図である。複数のグループ指定領域ＲＵは、グループ表示指示領域ＲＦを区分した領域であり、複数のグループＧＰのうちの各グループを表示対象グループとしてそれぞれ指定するための領域である。ここでは、複数のグループ指定領域ＲＵ（ＲＵ１〜ＲＵ５）は、アイコン表示領域ＲＣにおけるアイコン群の機能ごとの幅に応じてグループ表示指示領域ＲＦを（水平方向に）区分した領域として設けられている。また、グループ表示指示領域ＲＦは、アイコン表示領域ＲＣの下側に配置されている。
【０１０２】
より具体的には、各グループ指定領域ＲＵに対する接触操作に応じて、対応する機能グループが機能ボタン表示領域ＲＢへの表示対象グループとして決定されるようにしてもよい。たとえば、グループ指定領域ＲＵ２に対するユーザの手指の接触操作が検出されると、画像形成装置１は、グループ指定領域ＲＵ２に対応する機能グループ（ＧＰ２）を特定するとともに、当該機能グループＧＰ２に属する機能ボタンＢＴ２１〜ＢＴ２４を機能ボタン表示領域ＲＢに表示するようにすればよい。
【０１０３】
また、図１４のように機能ボタン表示領域ＲＢに対する表示対象の機能グループが複数のグループ指定領域ＲＵ（ＲＵ１〜ＲＵ５）を用いて指定される場合において、ユーザによって操作された特定のグループ指定領域ＲＵ２と、それ以外のグループ指定領域ＲＵ１，ＲＵ３〜ＲＵ５とが互いに異なる態様で表示されるようにしてもよい。たとえば、特定のグループ指定領域ＲＵ２とその他のグループ指定領域ＲＵ１，ＲＵ３〜ＲＵ５との２種類の領域を互い異なる色（背景色）で表示（色分け表示）するようにしてもよい。あるいは、グループ指定領域ＲＵ２が通常表示される一方で、他のグループ指定領域ＲＵ１，ＲＵ３〜ＲＵ５が半透明で表示（あるいはグレーアウト表示）されるようにしてもよい。
【０１０４】
＜６−４．グループ表示解除＞
また、上記実施形態においては、グループ指定ボタンＧＴに対する押下操作に応答して（第２の表示状態ＳＴ２に係る）設定画面ＧＢが表示され、アイコン表示領域ＲＣに対する押下操作に応答して（第１の表示状態ＳＴ１に係る）設定画面ＧＡが再び表示される態様が例示されているが、これに限定されない。
【０１０５】
たとえば、グループ指定ボタンＧＴに対する押下操作に応答して設定画面ＧＢが表示され、その後にグループ指定ボタンＧＴが再び押下されると、その再押下操作に応答して設定画面ＧＡが再び表示されるようにしてもよい。端的に言えば、グループ指定ボタンＧＴを押下するごとに、設定画面ＧＢと設定画面ＧＡとが交互に表示されるようにしてもよい。換言すれば、グループ指定ボタンＧＴを押下するごとに、第１の表示状態ＳＴ１と第２の表示状態ＳＴ２との間での状態遷移動作が実行されるようにしてもよい。
【０１０６】
図１５は、このような動作を示すフローチャートである。図１５の動作は、図５の動作と比較すると、ステップＳ１２での判定処理にて特定の機能グループに関する選択表示中（設定画面ＧＢ（図４）の表示中）であると判定されるとステップＳ１２からステップＳ１７に進む点で相違する。ステップＳ１７においては、設定画面ＧＢ（図４）を設定画面ＧＡ（図２）に戻す動作（第２の表示状態ＳＴ２から第１の表示状態ＳＴ１への遷移動作）が実行される。より具体的には、機能ボタン表示領域ＲＢとアイコン表示領域ＲＣとを図２のような表示態様に復帰させるための動作が実行される。これにより、範囲指定入力によって指定される一部のアイコンに対応する一部の機能ボタンが機能ボタン表示領域ＲＢに再び表示される。
【０１０７】
あるいは、設定画面ＧＢ（図４）から設定画面ＧＡ（図２）への画面遷移動作（通常マップスクローラ画面への復帰動作）、換言すれば第２の表示状態ＳＴ２から第１の表示状態ＳＴ１への遷移動作は、機能ボタンＢＴ押下に伴う詳細設定完了後に実行されるようにしてもよい（図１６参照）。
【０１０８】
図１６は、特定のグループＧＰ２に属する機能ボタンＢＴ２１〜ＢＴ２４が機能ボタン表示領域ＲＢに表示されている状態（図４参照）において、複数の機能ボタンＢＴ２１〜ＢＴ２４のうち機能ボタンＢＴ２３（連続読込設定ボタン）が押下された直後の様子を示す図である。画像形成装置１（表示制御部１２）は、機能ボタン表示領域ＲＢ内のいずれかの機能ボタン（特定のグループＧＰ２に属する特定の機能に関する機能ボタン）が押下されると、当該押下に応答して、押下された機能ボタンに関する詳細設定画面を表示する。たとえば、図１６では、押下された機能ボタンＢＴ２３に関するダイアログ画面（詳細設定画面）ＤＳが表示されている。このダイアログ画面ＤＳは、機能ボタンＢＴ２３に対応する機能「連続読込」に関する詳細設定用の画面である。当該ダイアログ画面ＤＳは、タッチスクリーン６ｃの中央部において、設定画面ＧＢ（図４参照）に重畳されて表示される。そして、ダイアログ画面ＤＳにおいて、「連続読込」に関する機能設定操作（たとえば、「連続読込」を「オン」に設定し、ＯＫボタンを押下する操作）がユーザによって行われる。このとき、このような機能設定操作（ユーザ操作）の完了に応答して、表示制御部１２は、ダイアログ画面ＤＳを非表示にするとともに、タッチスクリーン６ｃの表示状態を、（第２の表示状態ＳＴ２（図４の設定画面ＧＢ参照）に戻すのではなく、）第１の表示状態ＳＴ１（図２の設定画面ＧＡ参照）に遷移させるようにしてもよい。
【０１０９】
あるいは、設定画面ＧＢ（図４）から設定画面ＧＡ（図２）への遷移動作（復帰動作）は、無操作期間が所定期間継続したことに応答して実行されるようにしてもよい。より具体的には、設定画面ＧＡ（図２）から設定画面ＧＢ（図４）への画面遷移が行われた後において、所定期間（たとえば３分間）に亘って画像形成装置１（詳細にはタッチスクリーン６ｃ）に対するユーザ操作が行われない場合には、設定画面ＧＢ（図４）から設定画面ＧＡ（図２）への画面遷移動作（復帰動作）が行われるようにしてもよい。これによれば、或るユーザが画像形成装置１から離れた場合において、自動的に別ユーザの使用への準備を適切に行うことが可能である。
【０１１０】
＜６−５．その他＞
また、上記実施形態においては、画像形成装置１としてＭＦＰ（複合機）を例示したが、これに限定されない。たとえば、画像形成装置１は、各種の単機能装置（コピー装置、印刷装置あるいはスキャナ装置等）として構成されてもよい。
【符号の説明】
【０１１１】
１  画像形成装置
６ｃ  タッチスクリーン
ＢＴ  機能ボタン
ＣＮ  アイコン
ＤＳ  ダイアログ画面
ＦＲ  範囲指定枠
ＧＡ  設定画面（第１の表示状態ＳＴ１）
ＧＢ  設定画面（第２の表示状態ＳＴ２）
ＧＬ  機能名称表示領域
ＧＰ  グループ
ＧＴ  グループ指定ボタン
ＲＢ  機能ボタン表示領域
ＲＣ  アイコン表示領域
ＲＦ  グループ表示指示領域
ＲＵ  グループ指定領域
ＳＬ  スライダ
【図１】
2014059811.tif 000003
【図３】
2014059811.tif 000004
【図５】
2014059811.tif 000005
【図６】
2014059811.tif 000006
【図１５】
2014059811.tif 000007
【図２】
2014059811.tif 000008
【図４】
2014059811.tif 000009
【図７】
2014059811.tif 000010
【図８】
2014059811.tif 000011
【図９】
2014059811.tif 000012
【図１０】
2014059811.tif 000013
【図１１】
2014059811.tif 000014
【図１２】
2014059811.tif 000015
【図１３】
2014059811.tif 000016
【図１４】
2014059811.tif 000017
【図１６】
2014059811.tif 000018